(57)【要約】本発明は、一側端部が相互ヒンジ結合されて、フォールディング及びアンフォールディング可能な第１アーム及び第２アーム、及び上記第１アームと第２アームの本体にそれぞれの一側の辺縁がヒンジ結合されて、フォールディング及びアンフォールディング可能な第１キーボードピース及び第２キーボードピース、を含むことを特徴とする折畳式キーボードを開示する。【選択図】図１
2013536523.tif 000002
【特許請求の範囲】
【請求項１】
携帯用電子機器の折畳式キーボードにおいて、
一側端部が相互ヒンジ結合されて、フォールディング及びアンフォールディング可能な第１アーム及び第２アームと、
前記第１アームと第２アームの本体にそれぞれの一側の辺縁がヒンジ結合されて、フォールディング及びアンフォールディング可能な第１キーボードピース及び第２キーボードピースとを含むことを特徴とする折畳式キーボード。
【請求項２】
前記第１アーム及び第２アームのヒンジ結合に提供される第１回転軸と、前記第１キーボードピース及び第２キーボードピースのヒンジ結合によって提供される第２回転軸とが相互垂直することを特徴とする請求項１に記載の折畳式キーボード。
【請求項３】
前記第１キーボードピースと第２キーボードピースがアンフォールディングされた状態で、前記第１アームと第２アームがフォールディングまたはアンフォールディング状態に転換されることによって、前記第１キーボードピースと第２キーボードピースの横方向と縦方向が相互反転されることを特徴とする請求項２に記載の折畳式キーボード。
【請求項４】
前記第１アーム及び第２アームの角度が０〜１８０度の範囲内で調節可能であることを特徴とする請求項３に記載の折畳式キーボード。
【請求項５】
前記第１キーボードピースと第２キーボードピースとの間の電気接続が前記第１アーム及び第２アームとそのヒンジ結合部分の内部を経由するように延長された接続ケーブルによって接続されることを特徴とする請求項１に記載の折畳式キーボード。
【請求項６】
前記第１キーボードピースと第２キーボードピースは互いに面積が同じ四角形に形成され、前記第１アーム及び第２アームが完全にアンフォールディングされた状態でのキーボード全体の横長が、前記第１アーム及び第２アームが完全にフォールディングされた状態でのキーボード全体の縦長の二倍になることを特徴とする請求項１に記載の折畳式キーボード。
【請求項７】
前記第１アーム及び第２アームの中の少なくとも１つは関節構造を具備することを特徴とする請求項１に記載の折畳式キーボード。
【発明の詳細な説明】
【技術分野】
【０００１】
本発明は折畳式キーボードに関するもので、より詳しくは、キーボードをフォールディング（Folding）するためのヒンジ構造が改善された折畳式キーボードに関する。
【背景技術】
【０００２】
本出願は２０１０年８月２１日に出願された韓国特許出願第１０−２０１０−００８１１２３号と２０１１年８月２２日に出願された韓国特許出願第１０−２０１１−００８３４２４号に基づいた優先権を主張し、当該出願の明細書及び図面に開示された全ての内容は本出願に援用される。
【０００３】
コンピューターの入力装置として広く使われているキーボードは韓／英キーボード、数字キー、特殊記号キー、機能キーなど複数のキーが密集されている構造であることから、小型化が困難であり、小型に製作されても一般使用者の手の大きさによる制約によって、データ入力作業が容易でないという問題がある。
【０００４】
特に、最近需要が急増しているスマートフォンやＵＭＰＣのような携帯用電子機器は、普通１０インチ以内のディスプレー部が搭載され、本体に装着されている一体型キーボードやタッチスクリーンを通じて提供される仮想のキーボードも非常に小さな大きさで提供されて、使用が不便であり、キーボード構造の改善が要求されている。
【０００５】
キーボード構造の改善と関連して、韓国公開実用新案公報第１９９５−２５６６５号（携帯用コンピュータの組み立て式キーボード）にはキーボード本体の両側面に収容部を形成して補助キーボードを収容保管し、使用の時補助キーボードを取り出してキーボード本体の両方に結合して組立てる構造のキーボードが開示されている。しかし、この組み立て式キーボードは、頻繁な着脱操作によってキーボード本体と補助キーボードとの間を電気的に連結する端子が摩耗されたり、異物にさらされて接点不良が発生する虞があるという短所がある。
【０００６】
他の例として、韓国公開特許公報第１９９８−２８４３５号（折畳可能のキーボードを有する携帯用コンピュータ）と韓国公開実用新案公報第１９９９−００１６４３号（携帯用コンピュータの折畳式キーボード構造）には折畳式構造を通じてキーボードの大きさを拡張させることができるキーボードが開示されている。
【０００７】
しかし、従来の折畳式キーボードは単純にキーボードを折畳むことができる機能のみを提供するため、キーボードを効果的に縮小することができず、携帯性が不便であるという問題がある。
【先行技術文献】
【特許文献】
【０００８】
【特許文献１】韓国公開実用新案公報第１９９５−２５６６５号
【特許文献２】韓国公開特許公報第１９９８−２８４３５号
【特許文献３】韓国公開実用新案公報第１９９９−００１６４３号
【発明の概要】
【発明が解決しようとする課題】
【０００９】
本発明は上記のような問題点を考慮して創案されたもので、２軸のフォールディングが可能なように自由度が向上し、携帯が簡便で、且つ携帯用電子機器との結合性が改善された二重ヒンジ構造を有する折畳式キーボードを提供することにその目的がある。
【課題を解決するための手段】
【００１０】
上記のような目的を達するために、本発明は、一側端部が相互ヒンジ結合されて、フォールディング及びアンフォールディング可能な第１アーム及び第２アームと、上記第１アームと第２アームの本体にそれぞれの一側の辺縁がヒンジ結合されて、フォールディング及びアンフォールディング可能な第１キーボードピース及び第２キーボードピースと、を含むことを特徴とする折畳式キーボードを開示する。
【００１１】
上記第１アーム及び第２アームのヒンジ結合に提供される第１回転軸と、上記第１キーボードピース及び第２キーボードピースのヒンジ結合によって提供される第２回転軸とが相互垂直になることが好ましい。
【００１２】
上記第１キーボードピースと第２キーボードピースがアンフォールディングされた状態で、上記第１アームと第２アームがフォールディングまたはアンフォールディング状態に転換されることによって、上記第１キーボードピースと第２キーボードピースの横と縦方向が相互反転されることができる。
【００１３】
上記第１アーム及び第２アームの角度は０〜１８０度の範囲内で調節可能であることが好ましい。
【００１４】
上記第１キーボードピースと第２キーボードピースとの間の電気接続は、上記第１アーム及び第２アームとそのヒンジ結合部分の内部を経由するように延長された接続ケーブルによって接続されることができる。
【００１５】
上記第１キーボードピースと第２キーボードピースは互いに面積が同じ四角形に形成され、上記第１アーム及び第２アームが完全にアンフォールディングされた状態でのキーボード全体の横長が、上記第１アーム及び第２アームが完全にフォールディングされた状態でのキーボード全体の縦長の二倍になることが好ましい。
【００１６】
上記第１アーム及び第２アームの中の少なくとも１つは関節構造を具備することができる。
【発明の効果】
【００１７】
本発明による折畳式キーボードは、二重ヒンジによってフォールディング及びアンフォールディングが行われるので、携帯が便利な形状にフォールディングされるように構成することができ、携帯用電子機器との結合性が良いという長所がある。
【００１８】
また、本発明による折畳式キーボードは、第１ヒンジ部と第２ヒンジ部がアーム（Arm）の本体上で相互離隔されるように形成されるので、耐久性が良く、キーボードピースの辺縁を堅固に支持することができるという長所がある。
【図面の簡単な説明】
【００１９】
本明細書における添付図面は本発明の好ましい実施例を例示するもので、後述する発明の詳細な説明とともに、本発明の技術思想をさらに理解させる役割を果たすことから、本発明はそのような図面に記載された事項のみに限定し解釈されてはならない。
【図１】本発明の好ましい実施例による折畳式キーボードの構成を示す斜視図である。
【図２】図１でアームアセンブリーの構成を示す斜視図である。
【図３】本発明の好ましい実施例による折畳式キーボードのフォールディング状態を示す側面図である。
【図４】図３の背面図である。
【図５】図３で第２ヒンジ部を利用して折畳式キーボードをアンフォールディングした状態を示す平面図である。
【図６】図５で第１ヒンジ部を利用して折畳式キーボードをアンフォールディングすることによってキーボードを完成した状態を示す平面図である。
【図７】本発明によって第１キーボードピースと第２キーボードピースが接続ケーブルによって電気的に連結された状態を概略的に示す平面図である。
【発明を実施するための形態】
【００２０】
以下、添付された図面を通じて本発明の好ましい実施例を詳しく説明する。まず、本明細書及び特許請求の範囲に使われた用語や単語は通常的または辞書的意味に限定して解釈されてはならなく、発明者はその自分の発明を最善の方法で説明するために用語の概念を適切に定義することができるという原則に即して、本発明の技術的思想に符合する意味や概念に解釈すべきである。従って、本明細書に記載された実施例と図面に示した構成は、本発明の最も好ましい一実施例に過ぎず、本発明の技術的思想のすべてを代弁するものではないので、本出願時点においてこれらを取り替えることができる多様な均等物や変形例があり得ることを理解すべきである。
【００２１】
図１は本発明の好ましい実施例による折畳式キーボードの構成を示す斜視図である。
【００２２】
図１によれば、本発明の好ましい実施例による折畳式キーボードは、一側端部が相互ヒンジ結合された第１アーム１００ａ及び第２アーム１００ｂを具備したアームアセンブリーと、上記第１アーム１００ａと第２アーム１００ｂの本体にそれぞれヒンジ結合された第１キーボードピース１０３及び第２キーボードピース１０４とを含む。
【００２３】
図２に示したように、第１アーム１００ａと第２アーム１００ｂは相互同一長さのバー（Bar）形状の本体を具備し、それぞれの一側端部が第１ヒンジ部１００によって相互ヒンジ結合されて、フォールディング（Folding）及びアンフォールディング（Unfolding）可能な構造を有する。好ましくは、第１アーム１００ａと第２アーム１００ｂの角度は０〜１８０度の範囲内で調節されることができる。
【００２４】
第１アーム１００ａと第２アーム１００ｂの本体にはそれぞれ第１キーボードピース１０３のヒンジ軸（図示ない）と第２キーボードピース１０４のヒンジ軸を収容するための軸孔１００ｃ、１００ｄが具備される。
【００２５】
第１キーボードピース１０３と第２キーボードピース１０４の一側の辺縁は、上記ヒンジ軸と軸孔１００ｃ、１００ｄとを含む第２ヒンジ部１０１、１０２によって、それぞれ第１アーム１００ａと第２アーム１００ｂの本体にヒンジ結合される。ここで、第１ヒンジ部１００によって提供される第１回転軸と第２ヒンジ部１０１、１０２によって提供される第２回転軸は相互垂直になることが好ましい。
【００２６】
但し、図面には図示されたが、第１アーム１００ａ及び第２アーム１００ｂの中の何れか１つまたは両方にはアーム自体を折り曲げたり広げる機能を提供する関節構造が付加される。この場合、キーボードピースはさらに細分化することができる。例えば、第１アーム１００ａと第２アーム１００ｂの中間部分にそれぞれ関節構造が具備される場合、それぞれのアームには関節構造の両側に２つずつのキーボードピースが具備されて、全体的に４つのキーボードピースが結合された折畳式キーボードが提供することができる。このような構造によって、より多角的な形状でキーボードピースをフォールディングすることが可能である。
【００２７】
第１アーム１００ａと第２アーム１００ｂが０度の角度を成すようにフォールディングされた状態で、第１キーボードピース１０３と第２キーボードピース１０４は相互フォールディング及びアンフォールディング可能な構造を有する。第１キーボードピース１０３と第２キーボードピース１０４の角度は０〜１８０度の範囲内で調節されることができる。より好ましくは、第１キーボードピース１０３と第２キーボードピース１０４の角度は０〜３６０度の範囲内で調節されることができる。発明の理解を図るために、図１には第１キーボードピース１０３と第２キーボードピース１０４が３６０度の角度を成すように後方に反った状態が示されている。
【００２８】
第１キーボードピース１０３と第２キーボードピース１０４は互いに面積が同じ四角形の形態を有する。第１アーム１００ａ及び第２アーム１００ｂが１８０度の角度を成すようにアンフォールディングされて、キーボードレイアウトが完成した状態でキーボード全体の横の長さは、第１アーム１００ａ及び第２アーム１００ｂが０度の角度を成すようにフォールディングされた状態でのキーボード全体の縦長の二倍になる。
【００２９】
図３には第１キーボードピース１０３と第２キーボードピース１０４が０度の角度を成すようにフォールディングされた状態が示されている。キーボードの保護のために、フォールディングされた状態で第１キーボードピース１０３のキーボードと第２キーボードピース１０４のキーボードは相互対向するように配置されていることが好ましい。
【００３０】
図４に示したように、第１キーボードピース１０３と第２キーボードピース１０４がフォールディングされた状態で外部に露出される第１ヒンジ部１００の突出長さｄは携帯の便宜を考慮してなるべく小さく設計されていることが好ましい。
【００３１】
次に、上記のような構成を有する本発明の好ましい実施例による折畳式キーボードの作動を説明する。
【００３２】
本発明の好ましい実施例による折畳式キーボードは、図３に示したように、フォールディングされた状態で携帯される。
【００３３】
折畳式キーボードがフォールディングされた状態で第２ヒンジ部１０１、１０２を利用して第１キーボードピース１０３と第２キーボードピース１０４を１８０度の角度にアンフォールディングすると、図５に示したように、第１キーボードピース１０３と第２キーボードピース１０４のキーボードが外部に露出される。
【００３４】
次に、第１ヒンジ部１００を利用して第１アーム１００ａと第２アーム１００ｂを開いてアンフォールディング状態に変換すると、第１キーボードピース１０３と第２キーボードピース１０４の横と縦方向が相互反転されて、図６に示したように、キーボードが最終的に拡張されると同時にキーボードの配列が完成される。
【００３５】
本発明において、第１キーボードピース１０３と第２キーボードピース１０４との間の電気的連結は、図７に示したように、第１アーム１００ａ及び第２アーム１００ｂの本体の一部とそのヒンジ結合部分の内部を経由するように延長された接続ケーブル１０５によって行われることができる。ここで、接続ケーブル１０５は軟性のフラットケーブルが採用されることが好ましい。
【００３６】
上述したように、本発明による折畳式キーボードは、アームアセンブリーから提供される二重ヒンジによってキーボードピースがフォールディング及びアンフォールディングされることによって、携帯が便利な形状に変形することができ、スマートフォンや携帯用コンピュータのような携帯用電子機器との結合性が良いという長所がある。
【００３７】
以上、本発明は限定された実施例と図面によって説明されたが、本発明はこれによって限定されず、本発明が属する技術分野において通常の知識を有する者によって本発明の技術思想と特許請求範囲の均等範囲内で多様な修正及び変形が可能である。
【産業上の利用可能性】
【００３８】
本発明はスマートフォンや携帯用コンピュータのような携帯用電子機器に適用されて、該器機に設けられたキーボードに比べて大きさが拡張することができる携帯用折畳式キーボードを提供することによって、データ入力作業の便宜を図ることができる。
【符号の説明】
【００３９】
１００：第１ヒンジ部
１００ａ：第１アーム
１００ｂ：第２アーム
１００ｃ、１００ｄ：軸孔
１０１、１０２：第２ヒンジ部
１０３：第１キーボードピース
１０４：第２キーボードピース
１０５：接続ケーブル
【図１】
2013536523.tif 000003
【図２】
2013536523.tif 000004
【図３】
2013536523.tif 000005
【図４】
2013536523.tif 000006
【図５】
2013536523.tif 000007
【図６】
2013536523.tif 000008
【図７】
2013536523.tif 000009
【国際調査報告】
2013536523.tif 000010
2013536523.tif 000011
2013536523.tif 000012
2013536523.tif 000013